(57)【特許請求の範囲】
【請求項１】
基地局から複数の移動局のそれぞれに自動再送要求（ＡＲＱ）のシグナリングを送信する方法であって、
前記複数の移動局の所与のいくつかから信号を受信して復号する受信ステップと、
前記受信した信号のうち復号に失敗した信号について否定応答（ｎａｃｋ）信号を生成し、前記受信した信号のうち復号に成功した信号について肯定応答（ａｃｋ）信号を生成する生成ステップと、
前記受信した信号に対応する送信を実行するために割り当てられた送信帯域幅に少なくとも部分的に基づいて複数の前記肯定応答（ａｃｋ）信号のうちの少なくとも１つについて送信電力のレベルを設定する設定ステップと、
前記肯定応答（ａｃｋ）信号および前記否定応答（ｎａｃｋ）信号を送信する送信ステップと
を有し、
前記設定ステップは、
前記受信した信号に対応する送信を実行するために割り当てられた送信帯域幅が所定の割り当てしきい値を下回っていれば、前記送信電力のレベルを公称レベルに設定するステップと、
前記受信した信号に対応する送信を実行するために割り当てられた送信帯域幅が所定の割り当てしきい値を下回っていなければ、前記送信電力のレベルをブーストレベルに設定するステップと
を含み、
前記公称レベルは、関連した前記移動局についてその時点で推定されているチャネル状況と、肯定応答（ａｃｋ）信号について定められている受信信頼度要件とにしたがって算出されるレベルであり、前記ブーストレベルは、前記公称レベルよりも高いことを特徴とする方法。
【請求項２】
肯定応答（ａｃｋ）信号について定められている既知の受信信頼度要件と、その時点で推定されている伝搬チャネル状況とに応じて前記公称レベルを算出するステップと、
前記公称レベルを増加方向に調整することによって前記ブーストレベルを算出するステップと
をさらに有することを特徴とする請求項１に記載の方法。
【請求項３】
前記設定ステップは、
送信帯域幅の割り当て幅が所定のしきい値を下回っている受信した信号に対応した前記肯定応答（ａｃｋ）信号について公称レベルの送信電力を設定するステップと、
送信帯域幅の割り当て幅が所定のしきい値を上回っている受信した信号に対応した前記肯定応答（ａｃｋ）信号のうち１つ以上の肯定応答（ａｃｋ）信号についてブーストレベルの送信電力を設定するステップと
を含むことを特徴とする請求項１に記載の方法。
【請求項４】
前記基地局は、無線通信ネットワークのネットワークノードであり、
前記受信した信号は、当該ネットワークノードによってサポートされている複数の移動局から受信したアップリンクユーザ信号である
ことを特徴とする請求項１に記載の方法。
【請求項５】
前記基地局は、ＬＴＥネットワーク内で動作するｅＮｏｄｅＢであり、
前記移動局は、物理アップリンク共用チャネル（ＰＵＳＣＨ）のサブフレームで前記ｅＮｏｄｅＢに対してユーザ信号を送信するユーザ端末であり、
前記受信ステップは、
前記物理アップリンク共用チャネル（ＰＵＳＣＨ）の所与のサブフレームで所与のユーザ信号を受信して復号するステップ
を含み、
前記設定ステップは、
前記ｅＮｏｄｅＢによって物理ハイブリッドＡＲＱインジケータチャネル（ＰＨＩＣＨ）で送信される対応する肯定応答（ａｃｋ）信号のグループについて前記送信電力のレベルを設定するステップ
を含むことを特徴とする請求項１に記載の方法。
【請求項６】
前記肯定応答（ａｃｋ）信号のグループについて要求される送信電力が、前記物理ハイブリッドＡＲＱインジケータチャネル（ＰＨＩＣＨ）での送信に利用可能な送信電力を超えているかどうかを判定するステップと、
前記肯定応答（ａｃｋ）信号のグループについて要求される送信電力が、前記物理ハイブリッドＡＲＱインジケータチャネル（ＰＨＩＣＨ）での送信に利用可能な送信電力を超えていれば、前記物理ハイブリッドＡＲＱインジケータチャネル（ＰＨＩＣＨ）の送信電力の割り当てを増加するステップと
をさらに有することを特徴とする請求項５に記載の方法。
【請求項７】
無線通信ネットワークで動作する基地局であって、
複数の移動局の所与のいくつかから信号を受信する受信回路と、
前記受信した信号を復号する復号回路と、
前記受信した信号のうち復号に失敗した信号について否定応答（ｎａｃｋ）信号を生成し、前記受信した信号のうち復号に成功した信号について肯定応答（ａｃｋ）信号を生成する再送制御回路と、
前記受信した信号に対応する送信を実行するために割り当てられた送信帯域幅に少なくとも部分的に基づいて複数の前記肯定応答（ａｃｋ）信号のうちの少なくとも１つについて送信電力のレベルを設定する電力制御回路と、
前記肯定応答（ａｃｋ）信号および前記否定応答（ｎａｃｋ）信号を送信する送信回路と
を有し、
前記電力制御回路は、
前記受信した信号に対応する送信を実行するために割り当てられた送信帯域幅が所定の割り当てしきい値を下回っていれば、前記送信電力のレベルを公称レベルに設定し、
前記受信した信号に対応する送信を実行するために割り当てられた送信帯域幅が所定の割り当てしきい値を下回っていなければ、前記送信電力のレベルをブーストレベルに設定する
ように構成されており、
前記公称レベルは、関連した前記移動局についてその時点で推定されているチャネル状況と、肯定応答（ａｃｋ）信号について定められている受信信頼度要件とにしたがって算出されるレベルであり、前記ブーストレベルは、前記公称レベルよりも高いことを特徴とする基地局。
【請求項８】
前記電力制御回路は、
肯定応答（ａｃｋ）信号について定められている既知の受信信頼度要件と、その時点で推定されている伝搬チャネル状況とに応じて前記公称レベルを算出し、
前記公称レベルを増加方向に調整することによって前記ブーストレベルを算出する
ように構成されていることを特徴とする請求項７に記載の基地局。
【請求項９】
前記電力制御回路は、
送信帯域幅の割り当て幅が所定のしきい値を下回っている受信した信号に対応した前記肯定応答（ａｃｋ）信号について公称レベルの送信電力を設定し、
送信帯域幅の割り当て幅が所定のしきい値を上回っている受信した信号に対応した前記肯定応答（ａｃｋ）信号のうち１つ以上の肯定応答（ａｃｋ）信号についてブーストレベルの送信電力を設定する
ように構成されていることを特徴とする請求項７に記載の基地局。
【請求項１０】
前記基地局は、無線通信ネットワークの送信ノードであり、
前記受信した信号は、当該送信ノードによってサポートされている複数の移動局から受信したアップリンクユーザ信号である
ことを特徴とする請求項７に記載の基地局。
【請求項１１】
前記基地局は、ＬＴＥネットワーク内で動作するｅＮｏｄｅＢであり、
前記移動局は、物理アップリンク共用チャネル（ＰＵＳＣＨ）のサブフレームで前記ｅＮｏｄｅＢに対してユーザ信号を送信するユーザ端末であり、
前記ｅＮｏｄｅＢは、前記物理アップリンク共用チャネル（ＰＵＳＣＨ）の所与のサブフレームで所与のユーザ信号を受信して復号するとともに、前記ｅＮｏｄｅＢによって物理ハイブリッドＡＲＱインジケータチャネル（ＰＨＩＣＨ）で送信される対応する肯定応答（ａｃｋ）信号のグループについて前記送信電力のレベルを設定するように構成されていることを特徴とする請求項７に記載の基地局。
【請求項１２】
前記電力制御回路は、
前記肯定応答（ａｃｋ）信号のグループについて要求される送信電力が、前記物理ハイブリッドＡＲＱインジケータチャネル（ＰＨＩＣＨ）での送信に利用可能な送信電力を超えているかどうかを判定し、
前記肯定応答（ａｃｋ）信号のグループについて要求される送信電力が、前記物理ハイブリッドＡＲＱインジケータチャネル（ＰＨＩＣＨ）での送信に利用可能な送信電力を超えていれば、前記物理ハイブリッドＡＲＱインジケータチャネル（ＰＨＩＣＨ）の送信電力の割り当てを増加する
ように構成されていることを特徴とする請求項１１に記載の基地局。
【発明の詳細な説明】
【技術分野】
【０００１】
本発明は、無線通信におけるＡＲＱ制御のための方法および装置に関する。
【背景技術】
【０００２】
各種の無線通信ネットワークが、自動再送要求（ＡＲＱ、Automatic Repeat reQuest）応答シグナリング方式を使用している。ＡＲＱを使用すると、所与の送信部からの送信は、送信が首尾よく受信されるかどうか次第で、肯定（確認）応答されるかまたは否定応答される。否定応答は、例えば送信部からの元の送信に割り当てられたのと同じチャネルリソースなどを使用して送信部に再送信させる。
【０００３】
第３世代パートナーシッププロジェクト（３ＧＰＰ）が普及させているＬＴＥ（Ｌｏｎｇ  Ｔｅｒｍ  Ｅｖｏｌｕｔｉｏｎ）標準によると、ＬＴＥネットワークは、ハイブリッドＡＲＱ（Ｈ−ＡＲＱ）を使用する。一例として、所与の移動端末または他の種類のユーザ装置（ＵＥ）は、ｅＮｏｄｅＢが行うアップリンク割当グラント（許可）に従って、ｅＮｏｄｅＢに１つ以上のＬＴＥサブフレームを送信する。割当グラントは、特定のユーザに特定のＯＦＤＭチャネルリソースを割り当てる。従って、進行中の動作において、ｅＮｏｄｅＢは、一連の繰り返しＬＴＥサブフレームのそれぞれの中で幾人かのユーザの信号を受信し、そのユーザの信号をｅＮｏｄｅＢが首尾よく受信（復号）したかどうかに応じて、各送信ユーザにＡＲＱ応答を送信する。
【０００４】
より詳細には、ＬＴＥに関する３ＧＰＰのリリース８において、ｅＮｏｄｅＢは、物理Ｈ−ＡＲＱインジケータチャネル（ＰＨＩＣＨ、Physical H-ARQ Indicator Channel）でＨ−ＡＲＱ応答信号を送信する。肯定応答は、時折「ａｃｋ」と呼ばれ、所与のユーザ装置（ＵＥ）からｅＮｏｄｅＢにアップリンクで送信されたユーザ信号が首尾よく復号されたことを示す。逆に、否定応答は、時折「ｎａｃｋ」と呼ばれ、ユーザ信号がうまく復号されなかったことを示す。
【０００５】
周波数分割複信（ＦＤＤ）モードにおいて、ｅＮｏｄｅＢは、所与のＬＴＥサブフレームの中のいくつかのユーザ装置の信号を受信し、ＰＨＩＣＨで送信されるＰＨＩＣＨグループとして、４サブフレーム後にそれらの信号に対応するＡＲＱ応答信号を送信する。ＰＨＩＣＨグループの決定、および対象ＵＥが異なるＡＲＱ応答を区別するために使用する異なる拡散シーケンス（系列）の決定は、肯定応答される送信に使用された対応するアップリンク割り当ての位置に基づき決定される。ＰＨＩＣＨは、普通の期間に関してはＯＦＤＭシンボル「０」にマッピングされ、また延長期間に関しては０、１、２にマッピングされる。
【０００６】
利用可能なリソースを効率的に利用するために、最大で８つのＵＥまでのＡＲＱ信号を１つのＰＨＩＣＨグループに多重することができ、そのようなＰＨＩＣＨグループを幾つか利用可能である。ＰＨＩＣＨグループの数は、ユーザ数の変化に動的に対応するように、システム帯域幅およびＮｇと呼ばれる準静的パラメータによって変わる。サブフレームの制御領域には、最小で２つのＰＨＩＣＨグループ（１．４ＭＨｚかつＮｇ＝１／６）そして最大で２５のＰＨＩＣＨグループ（２０ＭＨｚかつＮｇ＝２）が存在する。
【０００７】
ｅＮｏｄｅＢにおける所与のＰＨＩＣＨグループの形成において、１ビットのａｃｋ／ｎａｃｋは、（３，１）反復符号で符号化される。復号時に異なるユーザを区別できるように、各ＵＥは、拡散一覧（スプレッディングブック）の中から他のシーケンスに直交する拡散シーケンスを割り当てられる。拡散係数は４なので、普通のサイクリックプレフィックスの場合に関しては、あらゆるビットが４ビットに拡大され、従ってａｃｋ／ｎａｃｋ当たりの総ビット数は１２である。これらのビットは、二相位相変調（ＢＰＳＫ）を使用して複素変調シンボルにマッピングされる。複数のＵＥが１つのＰＨＩＣＨグループ内のエネルギーを共有することから、ｅＮｏｄｅＢは、割り当てられたＵＥの復号性能の均衡を保たせるために電力制御を実行することが可能になる。すなわち、ｅＮｏｄｅＢは、ＵＥにおける異なる受信信号品質（例えば、異なる信号対雑音比またはＳＮＲ）に照らして、ＰＨＩＣＨグループ内のＡＲＱシグナリング電力を割り当てることができる。
【０００８】
特に、ｅＮｏｄｅＢは、異なるＵＥを対象とするＡＲＱ信号に、異なる大きさの倍率を適用する、例えば、ＵＥ０〜ＵＥ７に関して、ｅＮｏｄｅＢは、ＰＨＩＣＨグループ内のＡＲＱ信号電力割り当てを設定するために、倍率Ｇ０〜Ｇ７を使用する。ここで、Ｇｉ＝√（Ｅｂｉ）である。
【０００９】
従って、結果として生じるＰＣＩＣＨグループ送信用の信号は、次式のように書かれてもよい。
【００１０】
【数１】
0005608739.tif 000002
【００１１】
ここで、
【００１２】
【数２】
0005608739.tif 000003
【００１３】
上式で、ｂは、ＡＣＫ（ｂ＝１）またはＮＡＣＫ（ｂ＝０）にマッピングする。ｓｋは、所与のサブフレームの制御領域のＯＦＤＭ時間−周波数グリッドの異なるリソース要素（ＲＥ）にマッピングされることに注意されたい。
【００１４】
表記を簡単にするために、ｅＮｏｄｅＢに送信アンテナが１本、ＵＥに受信アンテナがＭ本あると想定する。高速フーリエ変換（ＦＦＴ）後の１つの受信ＲＥのモデルは、
【００１５】
【数３】
0005608739.tif 000004
【００１６】
であり、上式で、ｒｋ、ｈｋおよびｎｋは、（Ｍ×１）列ベクトルである。ＲＥｋが経験したチャネルは、ｈｋで表される。ｎｋ〜ＣＮ（０，Ｎ０）は、複素ガウス雑音ベクトルであり、ＣＮは、複素ノルムである。ｓｋに対する最大比結合（ＭＲＣ）解は、次式になる。
【００１７】
【数４】
0005608739.tif 000005
【００１８】
チャネル利得を正規化することによって、次式が得られる。
【００１９】
【数５】
0005608739.tif 000006
【００２０】
ｈおよびｎの分布の知識（推定）を使用して、ＵＥにおいて検出されたシンボルｓ＾の分布は、次のようになる。
【００２１】
【数６】
0005608739.tif 000007
【００２２】
ＲＥ［０，...，１１］にわたる固有のＵＥｉに関して、ＰＨＩＣＨグループ内のＡＲＱ信号を復号するための決定変数ｈｉは、
【００２３】
【数７】
0005608739.tif 000008
【００２４】
で導出され、上式で、受信信号を実軸にマッピングするために、回転が加えられる。他のＵＥからの寄与を打ち消すために、ＵＥの拡散シーケンスｗｉの複素共役が加えられる。例えば、実数の拡散シーケンスに関して、次のように書ける。
【００２５】
【数８】
0005608739.tif 000009
【００２６】
このような状況から、ＵＥは、
【００２７】
【数９】
0005608739.tif 000010
【００２８】
に従って、信号がａｃｋであるかそれともｎａｃｋであるかの判定を行ってもよい。
【発明の概要】
【発明が解決しようとする課題】
【００２９】
一方、とりわけシステムの観点からは、ａｃｋが送信されたかそれともｎａｃｋが送信されたか次第で、ＰＨＩＣＨ復号化に関して異なるブロック誤り率（ＢＬＥＲ）要件があってもよい。例として、所与のＵＥにおいてａｃｋをｎａｃｋと誤解する場合を考慮する。この場合、かつパケットデータ制御チャネル（ＰＤＣＣＨ）で読まれる明示的なアップリンクグラントがない場合、ＵＥは、その元の送信のために用意されたのと同じアップリンクリソースを使用して、否定応答されたらしいパケットを再送信する。しかし、ｅＮｏｄｅＢは、パケットを首尾よく受信したので、別のＵＥ（１つ以上のＵＥ）にそのリソースを割り当てているかもしれない。こうして、ＵＥがｅＮｏｄｅＢのａｃｋをｎａｃｋと誤解することによって生じた誤った再送信が、ｅＮｏｄｅＢで妨害を引き起こす。
【００３０】
他の場合では、ＵＥは、ｎａｃｋをａｃｋと誤解する。この誤りは、システムの観点からは重大ではない。その理由は、ＵＥが再送信を行わずに、そのパケットバッファを空にするだけであり、他のアップリンク送信への妨害は起こらないからである。もちろん、再送要求は、上位制御層で処理される必要があるが、この動作は、再送信を遅らせるにすぎない。それ故、Ｐｒ｛ａｃｋ→ｎａｃｋ｝（ａｃｋがｎａｃｋと誤解される確率）の要件は、Ｐｒ｛ｎａｃｋ→ａｃｋ｝より拘束性を持つ。
【００３１】
３ＧＰＰ  ＴＳＧ  ＲＡＮ  ＷＧ４は、試験要求条件をＰｒ｛ａｃｋ→ｎａｃｋ｝＝１０−３を満たす最小のＳＮＲと定義した。その結果、所与のＰＨＩＣＨグループ内において、ＰＨＩＣＨが対象とする各ＵＥが確率目標を達成するように、電力は分散されなければならない。妥当な単純化として、所与のＰＨＩＣＨグループ内の各ＡＲＱ信号の電力レベルを、他のＵＥが存在しないかのように設定することができるように、ＵＥの寄与を切り離せると想定してもよい。
【００３２】
ＰＨＩＣＨグループの中の１つのＵＥに関して、ランダムガウス変数の確率密度関数を考慮すると、判定しきい値がゼロの場合、同等でない誤り確率を維持するためには、ａｃｋは、ほぼ２倍の電力が必要となる。ＵＥがＢＬＥＲ１０％で送信すると仮定すると、９０％の場合にａｃｋが送信されることを意味する。所与のＰＨＩＣＨグループで送信されるＡＲＱ応答のほとんどかまたはすべてが肯定応答であるという可能性と、それらの肯定応答を送信するための信頼度目標から、ＰＨＩＣＨグループ送信に関して、ｅＮｏｄｅＢにおいて比較的高い電力割り当てが必要という結論をもたらすことができる。
【課題を解決するための手段】
【００３３】
１つ以上の態様において、本発明は、ＡＲＱシグナリング電力を割り当てるとき、対応するアップリンクリソース割り当てを考慮する。具体的に言うと、少なくとも１つの実施形態において、アップリンクリソース割り当てのより大きいＵＥ送信に対応する肯定応答（「ａｃｋ」）信号により大きい電力を割り当てる。ＬＴＥネットワークの状況例に関して、ｅＮｏｄｅＢは、アップリンク帯域幅割り当てのより大きいＵＥ送信に対して肯定応答する（「ａｃｋｉｎｇ」）ために、そのａｃｋシグナリング電力を「増大する」。追加または代替で、ＵＥは、少なくとも、より大きなリソース割り当てを使用した送信に関係する肯定応答に関して、ａｃｋと判定し易くなるように、ＡＲＱ信号評価をバイアスするように構成される。
【００３４】
従って、本明細書に提示する教示の一実施形態は、無線通信装置から複数のリモート無線通信装置の中のそれぞれの無線通信装置にＡＲＱシグナリングを送信する方法を提供する。この方法は、リモート無線通信装置の中の所与の無線通信装置からの信号を受信する工程およびそれを復号する工程と、復号に失敗した受信信号に対してｎａｃｋ信号を生成し、復号に成功した受信信号に対してａｃｋ信号を生成する工程と、受信信号に対応する送信に割り当てられたチャネルリソース量に少なくとも一部は基づき、ａｃｋ信号の少なくとも一部に対して送信電力レベルを設定する工程と、ａｃｋ信号およびｎａｃｋ信号を送信する工程とを備える。
【００３５】
非限定の一例として、無線通信装置は、ＬＴＥネットワークのｅＮｏｄｅＢで、自ｅＮｏｄｅＢがスケジュールしたアップリンクリソース割り当てに従ったデータ信号を、ＬＴＥ端末から受信するｅＮｏｄｅＢに組み込まれる。これに対して、ＡＲＱ信号（すなわち、ａｃｋ信号および／またはｎａｃｋ信号）は、ＰＨＩＣＨグループ内の符号化信号であり、そのグループには、１つ以上のＬＴＥ端末宛てのＡＲＱ信号を含む。さらにまた、少なくとも１つのａｃｋ信号の電力レベルの設定は、例えば、規定の誤り確率目標に従って、公称ａｃｋ電力または目標ａｃｋ電力を決定する工程と、次いで肯定応答される送信に割り当てられたアップリンクリソースの量に応じて、電力をより大きく増大する工程とを備える。
【００３６】
別の実施形態は、無線通信ネットワークにおいて動作する無線通信装置を提供する。無線通信装置は、複数のリモート無線通信装置の中の所与の無線通信装置から信号を受信するように構成された受信回路と、受信信号を復号するように構成された復号回路と、復号に失敗した受信信号に対してｎａｃｋ信号を生成し、復号に成功した受信信号に対してａｃｋ信号を生成するように構成された再送制御回路と、受信信号に対応する送信に割り当てられたチャネルリソース量に少なくとも一部基づき、少なくとも１つのａｃｋ信号の送信電力レベルを設定するように構成された電力制御回路と、ａｃｋ信号およびｎａｃｋ信号を送信するように構成された送信回路とを備える。この場合もやはり、非限定の一例として、無線通信装置は、ＬＴＥネットワークにおいて動作するように構成されたｅＮｏｄｅＢに組み込まれてもよい。
【００３７】
また別の実施形態は、例えばＬＴＥ端末または他のＵＥなどに組み込まれた第１の無線通信装置における、ＡＲＱ信号検出方法を提供する。この方法は、第１の信号を第２の無線通信装置に送信する工程および返信としての対応するＡＲＱ信号を受信する工程と、ＡＲＱ信号が肯定応答（ａｃｋ）を伝達するかそれとも否定応答（ｎａｃｋ）を伝達するかを判定するために、ａｃｋ／ｎａｃｋ判定しきい値に照らしてＡＲＱ信号を評価する工程と、バイアス判定モードで動作しているとき、第１の信号の送信に割り当てられたチャネルリソース量に応じて、評価工程をａｃｋと判定する方に選択的にバイアスする工程とを備える。
【００３８】
対応する装置の実施形態において、第１の無線通信装置は、第１の信号を第２の無線通信装置に送信するように構成された送信部、および返信としての対応するＡＲＱ信号を受信するように構成された受信部を備える。無線通信装置は、ａｃｋ／ｎａｃｋ判定しきい値に照らしてＡＲＱ信号を評価し、ＡＲＱ信号がａｃｋを伝達するかそれともｎａｃｋを伝達するかを判定し、バイアス判定モードで動作しているとき、第１の信号の送信に割り当てられたチャネルリソース量に応じて、そのＡＲＱ信号の評価をａｃｋと判定する方に選択的にバイアスするように構成された制御回路をさらに有する。
【００３９】
もちろん、本発明は、上記の特徴および利点の要約に限定されない。当業者は、以下の実施形態例の詳細説明を考慮し、添付の図面を観察することによって、追加の特徴および利点を理解するであろう。
【図面の簡単な説明】
【００４０】
【図１】第２の無線通信装置が、１つ以上の（リモートの）第１の無線通信装置からの伝達メッセージの受信に応えて、ＡＲＱシグナリング（ａｃｋ／ｎａｃｋ信号）を送信する、無線通信ネットワークの一実施形態のブロック図である。
【図２】危険性のより高いａｃｋの信頼度を高めるために、（選択的）ａｃｋ電力増大を使用する、ＡＲＱ信号生成方法の一実施形態の論理フロー図である。
【図３】ａｃｋ電力を増大する方法の一実施形態の論理フロー図である。
【図４】図１に示される無線通信装置１２などのネットワークノードの一実施形態のブロック図である。
【図５】ユーザごとに選択的にａｃｋ電力を増大するように構成された変調／符号化回路の一実施形態のブロック図である。
【図６】ＬＴＥネットワークの状況における、ａｃｋ電力増大の一実施形態の論理フロー図である。
【図７】図１に示される無線通信装置１４などの端末ノードの一実施形態のブロック図である。
【図８】肯定応答される送信に対して行われたリソース割り当ての関数として、そのａｃｋ判定の実施を（選択的に）バイアスするように適合された、ａｃｋ／ｎａｃｋ判定回路の一実施形態のブロック図である。
【図９】ａｃｋ／ｎａｃｋシンボル検出統計値を調節することによって、ａｃｋ判定をバイアスするのに用いられるバイアス回路の一実施形態のブロック図である。
【図１０】ａｃｋ判定バイアスの実施に関して、ａｃｋ／ｎａｃｋ判定しきい値を調節可能なａｃｋ／ｎａｃｋ判定定規の一実施形態の図である。
【図１１】ａｃｋ判定バイアスの実施方法の一実施形態の論理フロー図である。
【図１２】ａｃｋ判定バイアスを使用する第１のモードで動作するか、それともａｃｋ判定バイアスを使用しない第２のモードで動作するかを決定する方法の、一実施形態の論理フロー図である。
【発明を実施するための形態】
【００４１】
図１は、ＡＲＱシグナリングを遠隔にあるリモートの無線通信装置１４に送信する無線通信装置１２を有する、無線通信ネットワーク１０の一実施形態を単純化した図を提供する。非限定の一例としてＬＴＥネットワークを備えるネットワーク１０は、複数の通信エンティティ、制御エンティティおよび認証エンティティを有し、ネットワーク１０をインターネットなどの１つ以上の外部ネットワーク１８に通信可能に接続するコアネットワークをさらに有する。
【００４２】
無線通信装置１２は、ＡＲＱシグナリングを複数のリモート無線通信装置１４のそれぞれの無線通信装置に送信する方法を実行するように構成されている。リモート無線通信装置は、説明を明瞭にするために必要な時、１４−１、１４−２等のような添え字を使用して個別に区別されることに注意されたい。一方、参照番号１４は、リモート無線通信装置を単数または複数で言及するために包括的に使用されている。
【００４３】
図２を参照すると、方法は、リモート無線通信装置１４の中の所与の無線通信装置から（無線通信装置１２において）信号を受信する工程、およびそれを復号する工程を備える（ブロック１００）。さらに、方法は、復号に失敗した受信信号に対して否定応答（または「ｎａｃｋ」）信号を生成し、復号に成功した受信信号に対して肯定応答（または「ａｃｋ」）信号を生成する工程を有する（ブロック１０２）。方法は、受信信号に対応する送信に割り当てられたチャネルリソース量に少なくとも一部で基づき、少なくとも１つのａｃｋ信号の送信電力レベルを設定する工程をさらに有する（ブロック１０４）。さらにまた、方法は、ａｃｋ信号およびｎａｃｋ信号を送信する工程を有し、ａｃｋ信号は、肯定応答される受信信号に関して送信され、ｎａｃｋ信号は、否定応答される受信信号に関して送信される（ブロック１０６）。
【００４４】
図を参照すると、無線通信装置１２によって肯定応答および否定応答される信号は、ＬＴＥシステムの物理リソースブロックなどのアップリンクリソース割り当てに従って、無線通信アップリンク（ＵＬ）で無線通信装置１４の中の個別の無線通信装置から送信される。これらのアップリンクリソース割り当ては、無線通信装置１２によってスケジュールされるかまたは別のやり方で管理される。返信として、ＡＲＱ信号が、無線通信装置１４の中の個別の無線通信装置から受信した信号を肯定応答（アクノレッジ）および／または否定応答するために、無線通信装置１２から無線通信ダウンリンク（ＤＬ）で送信される。
【００４５】
上記の方法の少なくとも１つの実施形態において、設定工程は、受信信号に対応する送信に割り当てられたチャネルリソース量が規定の割り当てしきい値を下回る場合、送信電力レベルを公称レベルに設定し、受信信号に対応する送信に割り当てられたチャネルリソース量が規定の割り当てしきい値を上回る場合、送信電力レベルを増大（ブースト）レベルに設定する工程を備える。
【００４６】
一例として、「公称」電力レベルは、当該リモート無線通信装置の現在推定のチャネル状態およびａｃｋ信号に対して規定された受信信頼度要件に従って計算される。それ故、増大レベルは、現在のチャネル状態に対して、規定のａｃｋ受信信頼度要件が要求するであろう公称レベルより大きいという意味において「増大（ブースト）」されている。従って、１つ以上の実施形態において、方法は、ａｃｋ信号に関する既知の受信信頼度要件と現在推定の伝播チャネル状態との関数として公称レベルを計算する工程と、公称レベルを上方に調節することで増大レベルを計算する工程とを有する。
【００４７】
さらに、少なくとも１つの実施形態において、設定工程は、規定の閾量を下回るチャネルリソース割当量を有した受信信号に対応するａｃｋ信号に対して、公称送信電力レベルを設定し、規定の閾量を上回るチャネルリソース割当量を有した受信信号に対応する１つ以上のａｃｋ信号に対して、増大送信電力レベルを設定する工程を備える。
【００４８】
図３は、ａｃｋ電力設定工程の一例を提供し、このａｃｋ電力設定工程は、所与のａｃｋ信号に対する公称送信電力レベルを計算する工程（ブロック１１０）と、肯定応答（アクノレッジ）される信号に割り当てられたチャネルリソース量が規定の閾リソース量を下回るかどうかを判定する工程（ブロック１１２）から始まる。規定の閾リソース量を下回る場合、ａｃｋ信号は、公称電力レベルで送信される、すなわち増大されない。規定の閾リソース量を下回らない場合、ａｃｋ信号送信電力レベルは増大され（ブロック１１６）、増大レベルで送信される（ブロック１１８）。
【００４９】
このようにして、対応する送信すなわち肯定応答される送信に対して行われたリソース割り当てが、閾割り当て量を上回った場合、所与のａｃｋ信号は増大される。ここで、「量」は、帯域幅割り当ての点から見て測定されてもよい。一例として、リソース割当「量」は、ＯＦＤＭリソース要素／リソースブロックの割り当て数の点から見て表現されてもよい。
【００５０】
特定の例では、無線通信装置１２は、ＬＴＥネットワークで動作するｅＮｏｄｅＢから成り、リモート無線通信装置１４は、物理アップリンク共用チャネル（ＰＵＳＣＨ）のサブフレームでｅＮｏｄｅＢにユーザ信号を送信するユーザ端末から成る。ここで、方法の受信工程は、ＰＵＳＣＨの所与のサブフレームに関して、所与のユーザ信号を受信する工程および復号する工程を備え、設定工程は、ｅＮｏｄｅＢから物理ハイブリッドＡＲＱインジケータチャネル（ＰＨＩＣＨ）で送信する対応するａｃｋ信号のグループに対して、送信電力レベルを設定する工程を備える。
【００５１】
少なくとも１つのそのような実施形態において、ｅＮｏｄｅＢは、送信ＰＨＩＣＨグループに関して、それに利用可能な一定の送信電力量を有してもよく、所与のＰＨＩＣＨグループにおいて相当数の増大されるａｃｋ信号の送信に必要な総電力が、ＰＨＩＣＨ送信に対する電力割り当てを超えることがあるかもしれない。実施において、ｅＮｏｄｅＢは、ａｃｋ信号のグループに必要な送信電力がＰＨＩＣＨで送信するために利用可能な送信電力を超えるかどうかを判定するように、そして利用可能な送信電力を超える場合、ＰＨＩＣＨに対する送信電力割り当てを増加するように構成されてもよい。ｅＮｏｄｅＢが、利用可能な予備の電力を十分に有する場合、予備の電力から引き出すだけでよい。他方、ａｃｋ増大に必要な電力量を、自由に利用可能な予備の電力から完全に割り当てることができない場合、ｅＮｏｄｅＢは、１つ以上の他の種類の信号に割り当てられた（または準備された）電力を減少してもよい。
【００５２】
上記の方法（および上記の方法の変形方法）の実施に関して、無線通信装置１２が、制御回路、処理回路および通信回路から成る装置を備えてもよいことを、当業者は理解するであろう。図４は、受信回路２０、復調／復号化回路２２、（ＵＬスケジューラ２６を含む）受信処理／制御回路２４、（システムコントローラ、アプリケーションプロセッサ、ユーザインタフェース回路等のような）１つ以上の追加の回路２８を有する無線通信装置ノード１２のための回路から成る装置例を示す。無線通信装置１２は、再送制御回路３２および電力制御回路３４を含む送信処理／制御回路３０をさらに有し、また符号化／変調回路３６および送信回路３８もさらに有する。
【００５３】
上記の方法およびその変形方法について特に強調して説明すると、無線通信装置１２は、無線通信ネットワーク１０で動作するように構成されており、複数のリモート無線通信装置１４の中の所与の無線通信装置から信号を受信するように構成された受信回路２０と、受信信号を復号するように構成された復号回路２２とを有する。さらに、再送制御回路３２は、復号に失敗した受信信号に関してｎａｃｋ信号を生成し、復号に成功した受信信号に対してａｃｋ信号を生成するように構成される。その結果、電力制御回路３４は、受信信号に対応する送信に割り当てられたチャネルリソース量に少なくとも一部で基づき、少なくとも１つのａｃｋ信号の送信電力レベルを設定するように構成され、送信回路３８は、ａｃｋ信号およびｎａｃｋ信号を送信するように構成される。
【００５４】
少なくとも１つの実施形態において、電力制御回路３４は、受信信号に対応する送信に割り当てられたチャネルリソース量が規定の割り当てしきい値を下回る場合、送信電力レベルを公称レベルに設定し、受信信号に対応する送信に割り当てられたチャネルリソース量が規定の割り当てしきい値を上回る場合、送信電力レベルを増大レベルに設定するように構成される。
【００５５】
例えば、電力制御回路３４は、当該リモート無線通信装置１４に関して現在（その時点で）推定されるチャネル状態およびａｃｋ信号に関する規定の受信信頼度（無線通信標準の関連エアインタフェース要件に従って規定されてもよい）に従って、公称レベルを計算するように構成される。ここで、増大レベルは公称レベルより大きい。一実施形態において、電力制御回路３４は、ａｃｋ信号に関する既知の受信信頼度要件および現在推定される伝播チャネル状態の関数として、公称レベルを計算し、公称レベルを上方に調節することによって増大レベルを計算するように構成される。その調節は、段階調節でもよいし、また比例調節でもよい。さらに、当該ＵＬリソース割当量に従って増大量を変更してもよい。
【００５６】
少なくとも１つの実施形態例において、電力制御回路３４は、規定の閾量を下回るチャネルリソース割当量を有した受信信号に対応するａｃｋ信号に対して、公称送信電力レベルを設定し、規定の閾量を上回るチャネルリソース割当量を有した受信信号に対応する１つ以上のａｃｋ信号に対して、増大送信電力を設定するように構成される。
【００５７】
既に述べたように、少なくとも１つの実施形態において、無線通信装置１２は、ＬＴＥネットワークで動作するｅＮｏｄｅＢであり、リモート無線通信装置１４は、物理アップリンク共用チャネル（ＰＵＳＣＨ）のサブフレームで、ユーザ信号をｅＮｏｄｅＢに送信する（ＬＴＥ）ユーザ端末（またはユーザ装置ＵＥ）である。この設定では、ｅＮｏｄｅＢは、ＰＵＳＣＨの所与のサブフレームの中の所与のユーザ信号を受信して復号し、物理ハイブリッドＡＲＱインジケータチャネル（ＰＨＩＣＨ）でｅＮｏｄｅＢから送信する対応するａｃｋ信号のグループに対して、送信電力レベルを設定するように構成される。少なくとも１つのそのような実施形態において、電力制御回路３４は、ａｃｋ信号のグループに対する所要送信電力がＰＨＩＣＨの送信に利用可能な送信電力を超えるかどうかを判定し、送信電力を超える場合、ＰＨＩＣＨに対する送信電力割り当てを増加するように構成される。
【００５８】
図５は、上記のａｃｋ電力レベル調節または「ａｃｋ増大」を行い得る、符号化／変調回路３６の一実施形態を部分的に示す。８つのリモート端末１４（ユーザ１〜ユーザ７と指定済みのユーザとしても既知である）がある一例を示す。符号化回路４２は、各ユーザに対する符号化ａｃｋビットまたはｎａｃｋビットを生成し、その符号化ビットのセットのそれぞれは、マッピング回路４４によって対応するＢＳＰＫシンボルにマッピングされる。その結果として得られる各ユーザに関するＢＰＳＫシンボルは、次いで拡散回路４６で拡散され、次いで乗算回路５０において増幅倍率Ｇｘで増幅される。ここで「ｘ」はユーザの個別の番号に相当する。次いで、増幅された信号は、送信回路３８における送信処理に備えて、合成回路５２で合成される。
【００５９】
Ｇｘの値は、所望の増大を達成するために操作されてもよい。例えば、ユーザｘに対するＧｘは、公称電力要件に従って計算され、次いで増加的または比例的に増加されてもよい。増大の調節は、肯定応答されるユーザｘからの送信に割り当てられたアップリンクリソース量に基づいて行われてもよい。概して、比較的小さな割り当てに関しては増大が行われなさそうなのに対して、より大きな割り当てに関しては１つ以上のレベルの増大が使用されそうである。この方法の限定ではないが大きな利点は、より大きなリソース割り当てに関係する受信信号の肯定応答に関して、その信号の誤った再送信は潜在的により大きな混乱を引き起こすので、より高い信頼度（拡張された信頼度）を使用することである。さらに、ＰＨＩＣＨグループ送信に割り当て可能な総送信電力に実際上のまたは求められる限界があり得ると想定すると、肯定応答される信号に関係するリソース割り当てに基づき、所与のグループ内のａｃｋ信号を選択的に増大するかまたは増大しないことにはさらなる利点がある。そうすることによって、ｅＮｏｄｅＢは、例えば理知的に電力を節約する、および／または所望の電力バジェット内に留まることができる一方で、誤った再送信から生じる大きな通信リンクの混乱を起こさないことが可能になる。すなわち、ｅＮｏｄｅＢは、肯定応答される信号に関係するリソース割当量の評価にすべて基づいて、「高信頼度」（電力増大）、または「公称の信頼度」（増大なしの公称電力）、または「低信頼度」（公称電力未満）で肯定応答を送信してもよい。
【００６０】
その増大制御を念頭に置いて、図６は、無線通信装置１２の１つ以上の構成で実施されるａｃｋ電力制御の一実施形態を示す。図の処理工程は、信号が肯定応答される所与のＵＥに対するＵＬ割り当てを決定する工程を有する（ブロック１２０）。次いで無線通信装置１２は、ＵＬ割り当てに基づき、そのＵＥに対するａｃｋ信号のａｃｋ電力レベルを決定し、決定した電力レベルでＰＨＩＣＰグループの中のａｃｋ信号を送信する。
【００６１】
図６およびこれまで述べた方法の実施形態の処理工程は、専用の処理回路および／またはプログラム可能な処理回路によって実施されてもよい。例えば、１つ以上の実施形態において、再送制御回路３２および電力制御回路３４の少なくとも一部は、コンピュータ利用の処理回路を使用して実装される。すなわち、これらの回路は、プログラムメモリおよびワーキングメモリを含む１つ以上のマイクロプロセッサ利用の回路を備え、ここで、プログラムメモリは１つ以上のコンピュータプログラムを記憶する。無線通信装置１２内のメモリまたはコンピュータで読み取り可能な他の記憶媒体に保持されたコンピュータプログラムは、マイクロプロセッサ利用の回路で実行されるとき、それらの回路を開示のａｃｋシグナリング電力制御方法を実行するように特に構成するプログラム命令を備える。
【００６２】
同様に、端末１４のそれぞれは、それ自体が制御回路、処理回路および通信回路から成る比較的複雑な装置であってもよいことを当業者は理解するであろう。非限定の一例として、図７は、無線通信装置１４の一実施形態を示し、この無線通信装置１４は、既に述べたように、セルラ電話機などの無線通信端末または他の無線通信デバイスでもよい。（無線通信装置１４のすべてがそっくり同じである必要はないし、必ずしも同じ能力を有する必要もないことに注意されたい）。
【００６３】
図によれば、所与の無線通信装置１４は、受信回路６２および送信回路６４に連結された１つ以上の送信／受信アンテナ６０を備える。受信回路６２および送信回路６４は制御回路６６に連結されるが、この制御回路６６自体が、１つ以上の処理回路を備えてもよい。少なくとも機能回路の意味において、制御回路６６は、ａｃｋ／ｎａｃｋ評価回路６８を有し、無線通信装置１４は、システムプロセッサおよび／またはアプリケーションプロセッサ、ユーザインタフェース回路、電力制御回路等のような、任意数の追加の回路７０を有してもよい。
【００６４】
一実施形態では、制御回路６６の少なくとも一部は、プログラム可能な回路を使用して実装される、例えば、制御回路６６は、コンピュータで読み取り可能な記憶媒体（例えば、ＦＬＡＳＨ記憶デバイスまたはＥＥＰＲＯＭ記憶デバイス）にアクセスできる１つ以上のマイクロプロセッサ利用の回路を有する。コンピュータで読み取り可能な記憶媒体は、マイクロプロセッサ利用の回路で実行されるとき、本明細書で教示する方法を実行するように無線通信装置１４を特に構成するプログラム命令を備えるコンピュータプログラムを、１つ以上記憶する。
【００６５】
その構成の特定の例として、図８は、ａｃｋ／ｎａｃｋ評価回路６８に関する機能回路から成る装置を示し、表示の処理要素は、１つ以上のデジタルプロセッサが記憶済みのコンピュータプログラム命令を実行することによって、少なくとも一部は実装されてもよい。いずれにしても、ａｃｋ／ｎａｃｋ評価回路６８が、ａｃｋ判定バイアスを使用するモードで動作するか、それともａｃｋ判定バイアスを使用しないモードで動作するかを制御するように構成された評価モード制御回路７２を示す。また、評価回路７４およびバイアス回路７６も含んでいる。評価回路７４は、実際のａｃｋ／ｎａｃｋの評価判定を行うように、すなわち受信ＡＲＱ信号がｎａｃｋを示すかそれともａｃｋを示すかを判定するように構成される。そのような動作を補完するために、バイアス回路７６は、そのような判定を行うためのバイアスを制御またはセットするように構成される。
【００６６】
従って、無線通信端末または他の無線通信デバイスでもよい無線通信装置１４は、第１の信号を第２の無線通信装置に送信するように構成された送信部６４、および返信としての対応するＡＲＱ信号を受信するように構成された受信部６２を備える。非限定の一例として、第１の信号は、第２の無線通信受信部としての役割を果たす無線通信装置１２によってスケジュールされたか、または別のやり方で割り当てられたアップリンクリソースで送信されるアップリンクデータ信号である。
【００６７】
無線通信装置１４は、ＡＲＱ信号がａｃｋを伝達するかそれともｎａｃｋを伝達するかを判定するために、ａｃｋ／ｎａｃｋ判定しきい値に照らしてＡＲＱ信号を評価するように構成された制御回路６６をさらに有する。バイアス判定モードで動作しているとき、制御回路６６は、第１の信号の送信に割り当てられたチャネルリソース量に応じて、そのＡＲＱ信号評価をａｃｋ判定の方に選択的にバイアスする。ここで、「バイアス判定モード」は、ＡＲＱ信号処理が受信部のａｃｋまたはｎａｃｋ検知をａｃｋと検知し易い方にバイアスするように調節される動作モードと理解されるべきである。従って、このバイアスの実施は、受信部が、バイアスのないモードにおける動作と比べて、受信ＡＲＱ信号値をａｃｋと解釈しがちであることを意味する。
【００６８】
一実施形態では、制御回路６６は、少なくとも第１の無線通信装置による対応する送信により多いチャネルリソース割当量が関わる場合に、高信頼度（すなわち、例えば公称の信頼度目標を満足するために必要な送信電力に比べて、肯定応答信号に使用する送信電力を増大する）で第２の無線通信装置がａｃｋを送信しているかどうかを判定することによって、いつバイアス判定モードで動作するかを決定するように構成される。高信頼度で送信されていない場合、制御回路６６は、バイアス判定モードで動作し、高信頼度で送信されている場合は、ＡＲＱ信号評価をａｃｋ判定の方にバイアスしない、バイアスなし判定モードで動作する。
【００６９】
そのような実施形態の１つでは、制御回路６６は、第２の無線通信装置が高信頼度を使用するように構成されていることを示す制御シグナリングを、受信部６２経由で受信するように構成される。例えば、ＬＴＥの例の場合において、ｅＮｏｄｅＢまたは他のネットワークエンティティは、ｅＮｏｄｅＢがａｃｋ電力増大を使用しているか、それともしていないかを示す制御シグナリングを送信する。このようにして、ネットワークで動作している無線通信装置１４のような端末は、ａｃｋ判定バイアスを使用するかしないかを決定することができる。
【００７０】
一代替実施形態は、明示的シグナリングを必要としない。代わりに、制御回路６６は、肯定応答される信号送信に割り当てられたチャネルリソース量に応じて、無線通信装置１２がＡＲＱ信号電力を増大しているかどうかを検出するために、無線通信装置１４から無線通信装置１２への信号送信のために割り当てられたチャネルリソース量と（無線通信装置１２からの）対応するＡＲＱ信号の受信信号電力との相関を求めるように構成される。
【００７１】
上記の相関は、ａｃｋ信号電力と対応するリソース割当量との依存関係を判定するために、現在の無線チャネル特性を考慮に入れて行われる。例えば、受信ａｃｋ信号電力は、無線チャネル推定値で正規化され、正規化された値は、肯定応答される信号に関係するリソース割り当てと相関を求められる。このように、無線通信装置１４は、相当数のａｃｋ信号の受信にわたって、ａｃｋ信号電力と肯定応答される信号に関係するリソース割当量との間の正確な判定を作り上げる。
【００７２】
無線通信装置１４がａｃｋ判定バイアスを使用するモードで動作する場合でさえ、必ずしもすべてのＡＲＱ信号評価をバイアスするわけではない。それどころか、制御回路６６は、第１の信号を送信するために割り当てられたチャネルリソース量が規定のしきい値を下回る場合、評価をａｃｋ判定の方にバイアスしないことによって、そして下回らない場合、評価をａｃｋ判定の方にバイアスすることによって、受信ＡＲＱ信号の評価を選択的にバイアスするように構成される。すなわち、無線通信装置１４から無線通信装置１２への所与の送信に関して、無線通信装置１４は、所与の送信に割り当てられたチャネルリソースが規定の割り当てしきい値を上回ったかそれとも下回ったかに基づき、無線通信装置１２から戻された対応するＡＲＱ信号の評価をバイアスするかまたはバイアスしない。
【００７３】
評価のバイアスの実施に関して、制御回路６６は、１つ以上の任意のバイアス方式を使用する。一実施形態において、制御回路６６は、受信ＡＲＱ信号から取得した信号検出統計値をａｃｋ値の方へ選択的にバイアスし、バイアスした信号検出統計値をａｃｋ／ｎａｃｋ判定しきい値と比べるように構成される。例えば、受信ＡＲＱ信号に対する「ソフト」検出統計値は、規定のａｃｋ値の方に数値的に調節されてもよい。従って、制御回路６６は、１つ以上の実施形態において、受信ＡＲＱ信号で伝達されるａｃｋ／ｎａｃｋシンボルに関して得られるソフト検出統計値に数値オフセットを付加するように構成される。
【００７４】
図９は、上記の実施形態の実装を示し、無線通信装置１４に含まれた「バイアス」回路８０が、バイアス検出統計値を作り出すために、ＡＲＱ信号検出統計値に作用する。バイアスなしの検出統計値でなく、結果として生じるバイアス検出統計値が評価される。
【００７５】
別の実施形態では、制御回路６６は、ａｃｋ検出の可能性を増加するためにａｃｋ／ｎａｃｋ判定しきい値を選択的に調節し、受信ＡＲＱ信号から取得した信号検出統計値をバイアスａｃｋ／ｎａｃｋ判定しきい値と比較するように構成される。図１０は、この構成による一実施形態を示す。
【００７６】
一端が、ａｃｋシンボルの公称値「−√（Ｅａｃｋ）」によって境界され、他端が、ｎａｃｋシンボルの公称値「＋√（Ｅｎａｃｋ）」によって境界されている判定定規を示す。ａｃｋ／ｎａｃｋ判定しきい値は、ａｃｋとｎａｃｋの例示的値である−１と＋１との間の中点（０値）に設定されてもよく、中点への設定は、バイアスのないａｃｋ／ｎａｃｋ評価に使用される。バイアス判定を行うために、ａｃｋ／ｎａｃｋ判定しきい値は、ａｃｋと判定し易くなるように移動されてもよい。図１０の例では、判定しきい値は、公称ｎａｃｋ値の方に移動され、それによって、受信ＡＲＱ信号の検出値がａｃｋと解釈されそうな可能性が増加する。
【００７７】
とりわけ、判定統計値を調節する代替アプローチのように、制御回路６６の動作モード（およびバイアスあり／バイアスなしの判定実施を制御するために使用されてもよい任意のリソース割り当てしきい値）に基づいて、バイアス調節の１つの値、すなわち適用するか適用しないかだけがあってもよい。逆に、ａｃｋ判定にバイアスを適用するか否かの判定に加えて、制御回路６６は、ＡＲＱ信号を受信された送信のチャネルリソース割当量に基づくように、例えば、割り当てが多くなればなるほど、ますますバイアスを大きくするように、バイアス量を変更して使用してもよい。もちろん、バイアスの最大量は、上限を定められてもよいし、バイアスのないａｃｋ判定に対して実用的な改善を得るために必要な最低量のバイアスがあってもよい。
【００７８】
従って、１つ以上の実施形態では、制御回路６６は、第１の信号を送信し、返信としての対応するＡＲＱ信号を受信し、第１の信号の送信に割り当てられたチャネルリソース量に応じて、ａｃｋ／ｎａｃｋ判定しきい値を調節するように構成される。
【００７９】
既に述べたように、無線通信装置１４および１２は、少なくとも１つの実施形態において、ＬＴＥネットワークで動作するように構成された、それぞれ無線通信端末およびネットワークノード（ｅＮｏｄｅＢ）である。ここで、端末１４の送信部６４は、その送信のために無線通信装置１４に割り当てられた特定のチャネルリソースで、物理アップリンク共用チャネル（ＰＵＳＣＨ）で、第１の信号と述べたアップリンク信号を送信する。これに対して、端末１４は、無線通信装置１２から物理ハイブリッドＡＲＱインジケータチャネル（ＰＨＩＣＨ）信号としてＡＲＱ信号を受信する。その動作において、制御回路６６は、チャネルリソースのより大きな割り当てに対してより大きなバイアスを掛けてもよいし、また固定量のバイアスを掛けてもよい。
【００８０】
上記の装置構成を念頭に置いて、図１１は、ａｃｋ／ｎａｃｋ判定バイアスを実行および制御するために、無線通信装置１４で実施される処理の一例を示す。特に、図１１は、第１の信号の第２の無線通信装置への送信および返信としての対応するＡＲＱ信号の受信（ブロック１３０）を含む、第１の無線通信装置例えば無線通信装置１４におけるａｃｋ／ｎａｃｋ検出方法を示す。方法は、続いて、ＡＲＱ信号がａｃｋを伝達しているかそれともｎａｃｋを伝達しているかを判定するために、ａｃｋ／ｎａｃｋ判定しきい値に照らして、ＡＲＱ信号を評価する（ブロック１３２）。その評価には、バイアス判定モードで動作するとき、第１の信号の送信に割り当てられたチャネルリソース量に応じて、評価をａｃｋ判定の方に選択的にバイアスすることを含む。
【００８１】
さらに、方法は、少なくともより大きな量のチャネルリソース割り当てが関わる場合、第２の無線通信装置が高信頼度でａｃｋを送信しているかどうかを判定することによって、いつバイアス判定モードで動作するかを決定する工程を有してもよい。第２の無線通信装置が高信頼度でａｃｋを送信していない場合、第１の無線通信装置は、バイアス判定モードで動作し、高信頼度でａｃｋを送信している場合、評価をａｃｋ判定の方にバイアスしない、バイアスなし判定モードで動作する。
【００８２】
方法は、第２の無線通信装置が高信頼度を使用するように構成されていることを示す制御シグナリングの受信に基づき、第２の無線通信装置が（少なくとも肯定応答される送信により大きい量のチャネルリソースが関わる場合）高信頼度でａｃｋを送信しているかどうかを検出する工程を有してもよい。あるいは、方法は、第２の無線通信装置が高信頼度のａｃｋを使用しているかどうかを推測する方法を有してもよい。
【００８３】
方法の１つ以上の実施形態は、第１の無線通信装置から第２の無線通信装置への信号送信に割り当てられたチャネルリソース量と、対応するＡＲＱ信号の受信信号電力との相関関係を求めることによって、ａｃｋが高信頼度で送信されているかどうかを検出する。その相関処理は、肯定応答される信号送信に割り当てられたチャネルリソース量に応じて、第２の無線通信装置が第１の無線通信装置からの信号送信に肯定応答するためのＡＲＱ信号電力を増大しているかどうかを検出するために使用される。
【００８４】
例えば、相当数の送信、例として１００以上の送信にわたって、第１の無線通信装置は、第２の無線通信装置への送信に対して行われたチャネルリソース割り当てを追跡し、それと同様に、第２の無線通信装置から対応して受信したＡＲＱ信号の信号強度または電力を追跡する。このような追跡は、その送信に関する割り当ての継続的記録およびその送信に関して受信したａｃｋの対応する信号強度または電力の継続的記録の保持に基づいてもよい。より大きいチャネルリソース割り当てに関係する第１の無線通信装置からの送信に肯定応答するために、第２の無線通信装置が増大送信電力レベルを使用していそうかどうかを検出するために、正規化または他の処理技術（例えばフィルタリング）が使用されてもよい。
【００８５】
図１２は、そのような相関を利用する追跡のＬＴＥベースの実施形態を示す。この状況では、無線通信装置１４は、様々な量のアップリンクリソース割り当てを使用して、アップリンクで無線通信装置１２にデータ信号を送信し、無線通信装置１２からのＰＨＩＣＨ送信で対応するＡＲＱ信号を受信する。それに応じて、無線通信装置１４は、ＰＨＩＣＨのａｃｋ／ｎａｃｋ電力とアップリンクリソース割り当てとの相関を求める（ブロック１４０）。
【００８６】
さらに、無線通信装置１４は、相関の結果を規定の相関しきい値と比較する（ブロック１４２）。規定の相関しきい値は、特定の設計および目前の動作考慮事項に応じて設定されてもよい。（相関しきい値もまた動的に調節されてもよいし、または他のやり方で時間とともに決定されてもよい）。非限定の一例として、相関値０は、ａｃｋ電力と対応するＵＬリソース割り当てとの間に相関がないのに等しく、値１は、完全な相関に等しく、相関しきい値は、２分の１の値以上に設定されてもよい。
【００８７】
いずれにしても、ＵＬリソース割り当てと対応するａｃｋ電力との間に観察された相関が相関しきい値を下回らない場合（ブロック１４２でＮｏ）、無線通信装置１４は、無線通信装置１２がより大きいＵＬリソース割り当てに関係がある無線通信装置１４からの送信に肯定応答するために、高信頼度を使用していると判断する。従って、無線通信装置１４は、バイアスなしのａｃｋ評価モードでの動作が適切であると判定する。危険性の高いａｃｋのａｃｋ信頼度が無線通信装置１２によって増大されている場合、バイアスを掛ける必要がない。従って、バイアスなしａｃｋ判定モードに切り替える（または留まる）（ブロック１４４）。
【００８８】
他方、観察された相関が規定の相関しきい値を上回る場合（ブロック１４２でＹｅｓ）、無線通信装置１４は、無線通信装置１２がより多い量のＵＬリソースに関係する送信に対する肯定応答の信頼度を高めるためのａｃｋ電力増大を使用していないと判断する。そのような状況から、無線通信装置１４は、ＵＬリソース割り当てに基づきａｃｋ判定をバイアスするバイアスａｃｋ判定モードの動作に切り替える（または留まる）。バイアスａｃｋ判定モードの動作の少なくとも１つの実施において、バイアスの実施は依然として選択的である。例えば、無線通信装置１４は、第１の信号を送信するために割り当てられたチャネルリソース量が規定の（割当量）しきい値を下回る場合、その評価をａｃｋ判定の方へバイアスしない。逆に、割り当てがしきい値を上回る場合、無線通信装置１４は、評価をａｃｋ判定の方にバイアスする。
【００８９】
概して、この場合、ネットワークの送信部は、肯定応答される送信を始めた当該リモート端末における危険性の高いａｃｋの受信の信頼度を高めるための、ａｃｋ電力増大を使用しても使用しなくてもよい。（ここで、「危険性の高い」ａｃｋは、大きなリソース割り当てを有する信号の受信に肯定応答するために使用される肯定応答信号である。そのようなａｃｋ信号は、ａｃｋがｎａｃｋと誤解される場合に生じる、大きいリソース割り当ての誤った再送信が、それらのリソースに続いて割り当てられる潜在的に多数の他のユーザに混乱を起こさせるであろうから、危険性がより高い）。さらに、当該リモート端末は、バイアスａｃｋ評価を使用しても使用しなくてもよい。好ましくは、ネットワークの送信部が、ａｃｋ電力増大を使用し、そして好ましくは、当該端末がａｃｋ電力増大を使用中であると認識するように構成され、それ故、バイアスなしのａｃｋ判定モード動作する。しかし逆に、当該端末が、ネットワークの送信部がａｃｋ電力増大を使用していないと認識または他のやり方で判定した時に、バイアス判定モードで動作するのも好ましい。
【００９０】
ＬＴＥの一実施形態例において、ｅＮｏｄｅＢは、所与のＰＨＩＣＨグループ内のＡＲＱシグナリング電力を割り当てるとき、ａｃｋの誤受信の危険性を考慮するように構成される。ここで、所与のａｃｋは、肯定応答されるＵＥ送信に関係するアップリンクリソース量に応じて、より大きい危険性またはより小さい危険性を有する。比較的小さい割り当ては、ａｃｋをｎａｃｋと誤解することにより生じるＵＥの誤った再送信が、ｅＮｏｄｅＢにおいて大きなアップリンク妨害を引き起こさないであろうことを意味する。逆に、ＵＥのより大きいリソースの割り当ては、誤った再送信のいずれもが大きなアップリンク妨害を引き起こす恐れがあることを意味する。
【００９１】
従って、ａｃｋをｎａｃｋと誤って検出することに関係する危険性は、肯定応答されるアップリンク送信に割り当てられたアップリンクリソース量に基づいている。方法は、ｅＮｏｄｅＢおよび／またはＵＥで実施されてもよい。すなわち、少なくとも１つの実施において、ｅＮｏｄｅＢは、割り当てたＵＬリソースに応じてそのａｃｋ送信電力を適合するように構成される。さらに、少なくとも１つの実施において、ＵＥは、ｅＮｏｄｅＢがａｃｋ増大を使用しているかどうかを判定するように構成される。ＵＥは、ｅＮｏｄｅＢがａｃｋ増大を使用していないと判定した場合、ＵＬリソース割当量に応じて、判定をａｃｋ検出の方にバイアスするために、その内部ａｃｋ判定構造を適合させる。そうすることによって、ＵＥは、ａｃｋをｎａｃｋと誤解する危険性を下げる。この場合もやはり、この方法の良い利点例は、ＵＥが大きいリソース割り当てを誤って再送信することによって生じる、ｅＮｏｄｅＢにおいて通信リンクが大きく混乱する場合が少なくなるであろうということである。
【００９２】
従って、本明細書に提示する教示は、１つの無線通信装置が、送信に割り当てた送信リソース量（例えば帯域幅）に従って、別の無線通信装置からの送信に肯定応答するために使用する電力を適合（増大）することができることを教えている。このように、送信は、リソース割当量が多ければ多いほど、信頼度が高く肯定応答される。あるいは、危険性のより高いａｃｋの送信電力を増大するよりよりむしろ、ａｃｋを受信している受信部が、ａｃｋと判定し易くなるように、（少なくとも危険性の高い）ａｃｋ判定構造をａｃｋの方にバイアスしてもよい。そうすることによって、送信されたａｃｋをｎａｃｋと誤検出する危険が少なくなる。
【００９３】
ａｃｋ電力増大に関して、肯定応答される送信のリソース割り当てが所与のしきい値を上回るときだけ行うように、増大は選択的に行われてもよい。さらに、増大は、１つの増大レベルを使用して行われてもよいし、また様々な増大レベルを使用して行われてもよい。さらにまた、増大の増分を使用することなどで段階的に行われてもよいし、また増大は、例えばリソース割り当てがしきい値を超える量に比例させるなどで、直線的に行われてもよい。不連続の増大の実施形態の改良として、リソース割り当ては、例えば、大きい、かなり大きい、および最も大きい、のカテゴリに量子化されてもよく、肯定応答される所与の送信に関して決められた割り当てカテゴリに応じて、異なる増大量が使用されてもよい。
【００９４】
同様に、ａｃｋ判定バイアスは、リソース割り当てに比例して直線的に行われてもよいし、また増分などで段階的に行われてもよい。さらにまた、ａｃｋ判定バイアスも、量子化または別のやり方で分類されてもよい。例えば、小さなバイアス調節は、「小さい割り当て」範囲に入るリソース割り当てを有する送信に関係するａｃｋ信号に対して使用されてもよい、一方、より大きいバイアス調節は、「大きい割り当て」範囲に入るリソース割り当てに対して使用されてもよい。
【００９５】
いずれにしても、ａｃｋ判定バイアスの調節は、第１の信号の送信に割り当てられたチャネルリソース量に応じて、ａｃｋ／ｎａｃｋ判定しきい値（またはａｃｋシンボル検出統計値）を調節する工程を備える。例えば、そのようなバイアスの実施は、チャネルリソースのより大きい割り当てに対してより大きいバイアスを使用する工程を含む。
【００９６】
しかし、当業者は、これらおよび他の詳細例が説明目的で提供されており、本発明を限定する意図がないことを理解するであろう。実際のところ、本発明は、これまでの説明や添付図によって限定されない。その代わりに、本発明は、提示の特許請求の範囲によって限定される。
【図１】
0005608739.tif 000011
【図２】
0005608739.tif 000012
【図３】
0005608739.tif 000013
【図４】
0005608739.tif 000014
【図５】
0005608739.tif 000015
【図６】
0005608739.tif 000016
【図７】
0005608739.tif 000017
【図８】
0005608739.tif 000018
【図９】
0005608739.tif 000019
【図１０】
0005608739.tif 000020
【図１１】
0005608739.tif 000021
【図１２】
0005608739.tif 000022